(57)【要約】【課題】  構造が簡単で確実に整列させることができる遊技球整列樋を提供する。【解決手段】  遊技球が一列で流下する第１流下路２と第２流下路３を同じ方向に下り傾斜した状態で並設し、第２流下路の下流端部を第１流下路に合流させて遊技球を一列に整列せしめる遊技球整列樋１において、第１流下路の底面の下り傾斜角度を上流側よりも下流側を大きく設定し、第２流下路の底面の外側縁から側壁１２を立設し、該流下路の底面の幅を傾斜下端部分で次第に狭くするとともに、側壁も底面の幅の減少に伴って第１流下路側に近付け、第１流下路側に次第に近付く側壁を合流ガイド１３とし、該合流ガイドにより第１流下路側に案内される第２流下路内の球の中心が第１流下路と第２流下路との境界線上に位置する位置を合流位置とし、この合流位置を、第１流下路の底面の傾斜角度が変化する傾斜変化点１０の下流側に配置して、第１流下路に第２流下路を合流させる。【選択図】  図２
2005211691.tif 000002
【特許請求の範囲】
【請求項１】
遊技球が一列で流下する第１流下路と第２流下路を同じ方向に下り傾斜した状態で並設し、第２流下路の下流端部を第１流下路に合流させて遊技球を一列に整列せしめる遊技球整列樋において、
第１流下路の底面の下り傾斜角度を上流側よりも下流側を大きく設定し、
第２流下路の底面の外側縁から側壁を立設し、該流下路の底面の幅を傾斜下端部分で次第に狭くするとともに、側壁も底面の幅の減少に伴って第１流下路側に近付け、
第１流下路側に次第に近付く側壁を合流ガイドとし、
該合流ガイドにより第１流下路側に案内される第２流下路内の球の中心が第１流下路と第２流下路との境界線上に位置する位置を合流位置とし、
この合流位置を、第１流下路の底面の傾斜角度が変化する傾斜変化点の下流側に配置して、第１流下路に第２流下路を合流せしめたことを特徴とする遊技球整列樋。
【請求項２】
第２流下路の底面の下り傾斜角度を、第１流下路の傾斜変化点の上流側の傾斜角度よりも緩やかな角度に設定して第１流下路の底面と第２流下路の底面との間に高低差を設け、第１流下路への合流部分で第２流下路から第１流下路へ斜め上方から第１流下路内に遊技球が流下するようにしたことを特徴とする請求項１に記載の遊技球整列樋。
【請求項３】
第１流下路と第２流下路との間に区画壁を立設し、該区画壁の下流側の端部を傾斜変化点の直前に位置させたことを特徴とする請求項１または２に記載の遊技球整列樋。
【請求項４】
傾斜変化点の上流側の底面に、下流側が低い段差を形成したことを特徴とする請求項１から３のいずれかに記載の遊技球整列樋。
【発明の詳細な説明】
【技術分野】
【０００１】
本発明は、パチンコ遊技球などの遊技球を２条から１条に整列させて流下させる遊技球整列樋に関するものである。
【背景技術】
【０００２】
従来の遊技球整列樋は、遊技球が複数列で流下可能な流路の幅を次第に絞り込んで一列にするものが一般的であり、流路の側壁面を三次元的に彎曲させながら絞り込むものもある（特許文献１参照）。また、遊技球が二列（２条）になって流下する流路内にスプロケットを臨ませ、スプロケットの外周部には位相を異ならせて球嵌合凹溝を形成し、この球嵌合凹溝の位相の相違によって流下する遊技球に前後差を付けて、これにより一列に整列する遊技球整列樋も提案されている。
【特許文献１】特開昭５８−２２１９７０号公報
【発明の開示】
【発明が解決しようとする課題】
【０００３】
しかしながら、流路の幅を次第に絞り込むことにより一列に整列する遊技球整列樋は、単に流路の幅を減少させただけなので、並んで流下してきた遊技球を確実に前後にずらせて円滑に合流させることが困難であり、時には競り合っても前後にずれなかった遊技球が詰まってしまうトラブルが発生することもある。
【０００４】
また、三次元的に彎曲させた側壁面を有する整列樋は、形状が複雑なので製造および組み付けが面倒であり、部品点数も多くなってしまう。
【０００５】
さらに、スプロケットの回転により遊技球に前後差を付ける整列樋は、２条の流路の長さが少なくともスプロケット分だけは長くなってしまうので、嵩張るし広い取付スペースを必要とする。また、スプロケットが回転しないと球止まりしてしまう。
【０００６】
そこで、本発明は、構造が簡単で確実に整列させることができる遊技球整列樋を提供しようとするものである。
【課題を解決するための手段】
【０００７】
本発明は上記目的を達成するために提案されたもので、請求項１に記載のものは、遊技球が一列で流下する第１流下路と第２流下路を同じ方向に下り傾斜した状態で並設し、第２流下路の下流端部を第１流下路に合流させて遊技球を一列に整列せしめる遊技球整列樋において、
第１流下路の底面の下り傾斜角度を上流側よりも下流側を大きく設定し、
第２流下路の底面の外側縁から側壁を立設し、該流下路の底面の幅を傾斜下端部分で次第に狭くするとともに、側壁も底面の幅の減少に伴って第１流下路側に近付け、
第１流下路側に次第に近付く側壁を合流ガイドとし、
該合流ガイドにより第１流下路側に案内される第２流下路内の球の中心が第１流下路と第２流下路との境界線上に位置する位置を合流位置とし、
この合流位置を、第１流下路の底面の傾斜角度が変化する傾斜変化点の下流側に配置して、第１流下路に第２流下路を合流せしめたことを特徴とする遊技球整列樋である。
【０００８】
第２流下路内を流下してきた遊技球は、傾斜下端部分まで流下すると、彎曲している合流ガイドに案内されて次第に第１流下路に近付き、合流位置で球の片半が第１流下路内に押し出される。この合流位置では、第１流下路内を流下してきた遊技球が傾斜変化点を通過することにより遊技球の流下速度がそれまでの流下速度よりも高まり、これにより前後の間隔を空けているので、第２流下路からの遊技球が円滑に合流する。
【０００９】
請求項２に記載のものは、請求項１に記載の構成に加えて、第２流下路の底面の下り傾斜角度を、第１流下路の傾斜変化点の上流側の傾斜角度よりも緩やかな角度に設定して第１流下路の底面と第２流下路の底面との間に高低差を設け、第１流下路への合流部分で第２流下路から第１流下路へ斜め上方から第１流下路内に遊技球が流下するようにしたことを特徴とする遊技球整列樋である。
【００１０】
第２流下路からの遊技球が第１流下路に斜め上方から流下して合流すると、第１流下路の遊技球と接触した時に、単に水平方向から接触した場合に比較して容易に入り込む。したがって、前記隙間と相俟って、ブリッジになることなく確実に合流させることができる。
【００１１】
請求項３に記載のものは、請求項１または２の構成に加えて、第１流下路と第２流下路との間に区画壁を立設し、該区画壁の下流側の端部を傾斜変化点の直前に位置させたことを特徴とする遊技球整列樋である。
【００１２】
区画壁が第２流下路内の遊技球の横方向に位置を合流位置まで規制する。したがって、各流下路の遊技球の流下に余分な力が作用することを防止することができるとともに、合流位置で第２流下路の遊技球を第１流下路側に確実に近付けることができる。
【００１３】
請求項４に記載のものは、請求項１から３のいずれかに記載の構成に加えて、傾斜変化点の上流側の底面に段差を形成したことを特徴とする遊技球整列樋である。
【００１４】
段差により、上流側に位置する遊技球の流下圧力を分散させることができ、これにより下流側の遊技球の流下速度を流下路の底面の傾斜の大きさで制御することができる。したがって、傾斜変化点の前後による流下速度の差により前後の遊技球の間に確実に隙間を生じさせることができる。このため、合流を円滑且つ確実に行うことができる。
【発明の効果】
【００１５】
請求項１の発明は、第２流下路内を流下する遊技球が合流ガイドにより案内されて第１流下路に近付き、合流位置が傾斜変化点の下流側に配置されているので、この合流位置では傾斜変化点を通過した遊技球と次の遊技球との間に隙間が生じており、この隙間内に合流ガイドによって案内されて流下してきた遊技球が円滑に合流する。したがって、遊技球が合流位置で詰まることを防止することができる。
また、構造が簡単なので製造が容易であり、全長も短くて嵩張らないので装置全体の小型化を容易ならしめることができるし、可動部材もないので故障の発生も殆どない。
【００１６】
請求項２の発明は、合流位置で第１流下路と第２流下路との高低差によって、第２流下路から第１流下路に斜め上方から合流させることができるので、水平方向に合流させる場合に比較して、合流時の遊技球の流下速度を高めて迅速に合流させることができ、合流の確実性を高めることができる。
【００１７】
請求項３の発明は、合流部分までは区画壁が第１流下路と第２流下路との間を区画して、両流下路の遊技球が接触することを防止し、合流部分で始めて触れ合うように規制することができる。したがって、合流の時機を確実に採ることができ、一層円滑な合流を行わせることができる。
【００１８】
請求項４の発明は、段差の上下で遊技球の接触位置をずらせて、上流側の遊技球の流下圧を分散させることができる。したがって、下流側の遊技球に余分な球流下圧が作用することを防止することができ、流下路の底面の傾斜に応じた球の動きを確実に行わせることができる。このため、傾斜変化点の前後や異なる底面傾斜角度により、遊技球の動きを設計通りに動かすことができ、一層確実に合流させることができる。
【発明を実施するための最良の形態】
【００１９】
以下、本発明の実施の形態を図面に基づいて説明する。
図１は遊技球整列樋１の一部欠截斜視図、図２（ａ）はその平面図、図２（ｂ）は正面図である。これらの図面に示す遊技球整列樋１の実施形態は、代表的な遊技球であるパチンコ球を循環する球循環機構において、パチンコ球を一列に整列した状態で補給機に供給するための遊技球整列樋である。
【００２０】
この遊技球整列樋は、遊技球が一列で流下する第１流下路２と第２流下路３を同じ方向に下り傾斜した状態で並設し、第２流下路３の下流端部を第１流下路２に合流させて遊技球を一列に整列せしめる整列樋であり、第１流下路２の流下下端部分にスプロケット収納部４を整列樋と一体成型し、この収納部４内に、補給機の主要部材であるスプロケット５を設けるように構成してある。
【００２１】
第１流下路２は、遊技球の直径Ｄよりも僅かに幅広な底面を全長に有し、該底面の傾斜上端から端面壁６を立設し、底面の一側縁からは取付ベースを兼ねた側壁７を立設し、傾斜下端部分はスプロケット５の外径に応じた円弧状曲面に成形した収納部４を形成して端部を起立させてある。また、この第１流下路２の底面は、傾斜角度を上流側よりも下流側を大きく設定し、この傾斜角度が変化する傾斜変化点１０の下流側で第２流下路３を第１流下路２に合流するように構成し、傾斜変化点１０の上流側の底面に１mm程度の小さな段差１１を形成してある。なお、図面の実施形態では、傾斜上端から傾斜変化点１０までの角度はほぼ一定であり、この傾斜変化点１０の上流側の傾斜角度を４°に設定し、傾斜変化点１０からほぼ一定の下流側の傾斜角度を１２°に設定してある。したがって、第１流下路２内を流下してきた遊技球は、傾斜変化点１０を通過すると、それまでよりも流下速度を増大して流下することとなり、流下する遊技球の前後の間隔が傾斜変化点１０を通過すると増大される。
【００２２】
一方、第２流下路３は、遊技球の直径Ｄよりも僅かに幅広な底面を有し、該底面の傾斜上端から第１流下路２の端面壁６と共通の端面壁６を立設し、第１流下路２とは反対側の底面の一側縁から側壁１２を立設し、該側壁１２の上流側の上部は外側に傾斜させてある。この第２流下路３の底面は、傾斜上端については第１流下路２の底面と上端と同じ位置、同じ高さから始まるが、傾斜角度が第１流下路２の底面の傾斜変化点１０の上流側の角度に比較して小さいので、下流になるにしたがって第１流下路２の底面との間に高低差が生じ、第１流下路２との合流部分で高低差が最大になるように設定してある。
【００２３】
また、この第２流路の底面は、第１流下路２の底面とは異なり全長に亘って傾斜角度がほぼ一定（本実施形態では２°）であり、後述する第１流下路２との間の分列ガイドが途切れる合流部分手前から徐々に幅が減少し、傾斜下端で幅がなくなり第１流下路２と合流する。そして、第２流下路３の側壁１２は、底面の幅が下流になるにしたがって次第に減少することに伴って第１流下路２側に彎曲しながら近付き、この彎曲部分が遊技球を第１流下路２側に案内する合流ガイド１３となる。なお、第２流下路３の底面の途中には、第１流下路２の底面と同様に、小さな段差１４を形成する。
【００２４】
分列ガイド１５は、第１流下路２と第２流下路３との間を区画する区画壁でもあり、第１流下路２の底面と第２流下路３の底面とがほぼ同じ高さに位置する傾斜上端部分が終了する位置から下流側に向けて延在し、傾斜変化点１０の直前（上流側に遊技球の直径よりも短い距離、実施形態では傾斜変化点１０から上流側へ約３mmの位置）で止めてある。また、この分列ガイド１５は、傾斜上端部分では遊技球が次第に第１流下路２または第２流下路３に円滑に分列するように底面から上端までの高さを次第に増し、傾斜下端部分では第２流下路３内の遊技球が徐々に第１流下路２側に近付いて円滑に合流できるように高さを徐々に減少させてある（図３）。
【００２５】
図３により、分列ガイド１５、第１，第２流下路２，３の底面、合流ガイド１３を含む側壁の位置関係について、さらに詳細に説明すると、図３（ｃ）Ａで示すように、分列ガイド１５の高さがまだ減少していない位置においては、分列ガイド１５が第１，第２流下路２，３内の球を完全に区画しており、この位置から少し下流側に進むと分列ガイド１５の高さが減少し始めるとともに、分列ガイド１５の上端縁が第２流下路３から第１流下路２側に倒れた断面鋭角になる。また、分列ガイド１５が高さを減少し始めた位置の下流から第２流下路３の底面の幅が減少し始めるとともに側壁が第１流下路２側に近付き始めて合流ガイド１３が始まる。
【００２６】
そして、傾斜変化点１０から球径Ｄの約１．５倍（１．５Ｄ）上流側では、図３（ｃ）Ｂに示すように、第２流下路３の底面の幅が球径Ｄよりも狭くなっており、また、分列ガイド１５が低くなってもまだ区画機能を十分に果たしているので、第２流下路３内の球が第１流下路２側に近付いて分列ガイド１５上端縁に接触するが第１流下路２内に突出することはない。
【００２７】
傾斜変化点１０から球径Ｄの約半分上流側では、図３（ｃ）Ｃに示すように、第２流下路３の底面の幅が球径Ｄよりも更に狭くなり、加えて分列ガイド１５が更に低くなって僅かな高さでしか残っていないので、合流ガイド１３に案内された第２流下路３内の球の一部が第１流下路２内に突出し始める。したがって、この位置で合流部分が始まる。
【００２８】
傾斜変化点１０で各部材の位置関係を略幅方向に説明すると、斜めに近付いてきた合流ガイド１３までの最短寸法が既に球径Ｄよりも小さな寸法（本実施形態では９．０６mm）であり、分列ガイド１５が約３mm上流側の位置で途切れている。
【００２９】
傾斜変化点１０から球径Ｄよりも少し短い下流側では、図３（ｃ）Ｄに示すように、第２流下路３の底面の幅が球径Ｄの半分よりも少し大きい幅、換言すれば第２流下路３の底面と第１流下路２の底面との段差から合流ガイド１３までの寸法が球径Ｄの半分よりも少し大きいので、合流ガイド１３に案内されて第１流下路２側に近付きつつある球の重心（中心）は、未だ第２流下路３の底面上に位置している。
【００３０】
傾斜変化点１０から球径Ｄとほぼ同じ長さ下流側では、図３（ｃ）Ｅに示すように、第２流下路３の底面の幅が球径Ｄの約半分、換言すれば第２流下路３の底面と第１流下路２の底面との段差から合流ガイド１３までの寸法が球径Ｄの約半分に設定してあるので、合流ガイド１３に案内されて第１流下路２側に近付きつつある球の重心（中心）は、第２流下路３の底面と第１流下路２の底面との境界線（段差）上に位置しており、第２流下路３内を流下してきた球の片半が第１流下路２内に入る。したがって、この時点で流下勢或は振動により第２流下路３内の球は第１流下路２内に入ってしまい、第１流下路２内の球に合流する。換言すれば、この時点が合流位置（合流点）となる。なお、この合流位置は、傾斜変化点１０から下流側で球径Ｄの０．５〜２Ｄの範囲内に配置し、傾斜角度により前後するが、好ましくは０．８〜１．２Ｄの範囲である。０．５Ｄ以下であると傾斜変化点１０を通過した球と後の球との間に十分な隙間ができないし、２Ｄ以上になると、できた隙間に毎回球が安定して入り難くなるからである。
【００３１】
次に、上記した構成からなる遊技球整列樋１の作用について説明する。
球回収樋などから遊技球が遊技球整列樋１内の傾斜上部に供給されると、これらの遊技球は分列ガイド１５により振り分けられて第１流下路２または第２流下路３内に入り込む。なお、本実施形態では第２流下路３の側壁の上端部分が外側に傾斜しているので、球回収樋等から流下する遊技球が円滑に２条に絞られて第１，第２流下路２，３内に入り込むことができ、また、第１，第２流下路２，３の途中に上方から揺動可能な状態で臨ませた球均し１６により確実に一段に均される。
【００３２】
第２流下路３内に入り込んだ遊技球は、該流下路３の底面の下り傾斜によって流下し、第１流下路２内に入り込んだ遊技球は、該流下路２の底面の下り傾斜によって流下し、両流路２，３内の遊技球は並んで流下するが、第２流下路３内の遊技球は、該流下路３の底面の傾斜角度が第１流下路２の底面の傾斜角度に比較して緩やかなので、次第に第１流下路２内を流下する遊技球よりも高い位置で流下することになり、この高い位置で流下しながら合流部分に向かって流下する（図３（ｃ）Ａ，Ｂ）。そして、第２流下路３内を流下する遊技球が合流部分に近付くと、この部分では分列ガイド１５が既に僅かな高さが残されているだけであり、また、底面の幅が徐々に減少するとともに側壁１２が第１流下路２側に徐々に近付くので、遊技球は合流ガイド１３として機能する側壁１２に案内されながら第１流下路２側に接近して行く（図３（ｃ）Ｃ）。
【００３３】
一方、第１流下路２内に入り込んだ遊技球は、該流下路２の底面の下り傾斜角度が第２流下路３の底面に比較して大きいので、次第に第２流下路３内を流下する遊技球よりも低い位置で流下し、傾斜変化点１０を通過すると、該傾斜変化点１０の下流側の底面の傾斜角度が上流側よりも大きいので（即ち急角度なので）、流下速度が増加する。この様に、第１流下路２内を流下する遊技球が傾斜変化点１０を通過した時点で流下速度が増加すると、該流路内を後から流下してくる遊技球との間隔が増える。
【００３４】
合流部分は傾斜変化点１０の直後（下流）に位置しているので、急速に流下速度を増して後から流下してくる遊技球との間隔を開いた遊技球（図３（ａ）（ｂ）中の最先に示す遊技球）は、この間隔が十分に空いた頃に合流部分の終端に近付いている。換言すると、第１流下路２内を流下してきた遊技球が傾斜変化点１０を通過して後続の遊技球との間隔が開いた状態で合流部分の合流位置を通過することになる。
【００３５】
合流部分では、前記した様に、第２流下路３内を流下してきた遊技球が接近してきており、この第２流下路３からの遊技球は第１流下路２内の遊技球に対して斜め上方から接近してくる。しかも、第２流下路３の側壁１２（合流ガイド１３）に寄せられて（案内されて）遊技球が第２流下路３から第１流下路２側に入り込む合流位置は、傾斜変化点１０を通過して前後間隔が開く位置（傾斜変化点１０から下流側２Ｄの範囲内）に設定してある。そして、第１流下路２内を前後間隔を空けて流下する遊技球に対して、第２流下路３から合流部分に到達した遊技球が互い違いの配置（所謂千鳥配置）となる位置関係にある。このため、第１流下路２に対して斜め上方から接近してきた第２流下路３内からの遊技球は、図３（ａ），（ｂ），（ｃ）Ｅに示すように、第１流下路２内を流下している遊技球の前後間隔内に無理なく入り込んで第１流下路２内に合流することができる。
【００３６】
この様にして第２流下路３から合流した遊技球および第１流下路２内を流下していた遊技球は、そのまま第１流下路２内を流下してスプロケット５に到達する。そして、スプロケット５の外周に形成してある凹部２０内に１個ずつ嵌合し、スプロケット５の回転により揚送される。なお、スプロケット５は、流下してきた遊技球を滞留させることなく揚送する回転数で回転させることができる。したがって、第１流下路２の傾斜変化点１０の下流側に遊技球が長い間停止することはない。このため、傾斜変化点１０を通過した第１遊技球の前後には確実に前後間隔が広がり、この間隔内に第２流下路３内を流下してきた遊技球が円滑に入り込んで合流することができる。
【００３７】
また、遊技球整列樋１に流下してくる遊技球の量が一時的に増大するなど何等かの原因で第１流下路２内の遊技球が一旦停滞しても、スプロケット５の回転により第１流下路２の傾斜変化点１０よりも下流側の遊技球が揚送されて第１流下路２内の遊技球が流下すると、第１流下路２の傾斜変化点１０を遊技球が通過した時点で当該遊技球の流下速度が増大して前後間隔が広がるので、この間隔内に第２流下路３内からの遊技球が斜め上方から合流することができる。
【実施例】
【００３８】
以下、本発明の一実施例を図面にもとづいて説明する。
本実施例における遊技球整列樋１は、図４に示すように、第１流下路２の傾斜変化点１０の上流側の傾斜角度を４°、傾斜変化点１０の下流側の傾斜角度を１２°、第２流下路３の傾斜角度を２°に設定し、合流部分の第１流下路２の底面と第２流下路３の底面との高低差を球径の約半分である６mmに設定する。又、スプロケット５の軸５′の中心を起点にして、第２流下路３の傾斜下端までの距離を５５．５mm、分列ガイド１５の傾斜下端までの距離を９０．５mm、第１流下路２の傾斜変化点１０までの距離を８７mmにそれぞれ設定してある。したがって、第２流下路３が第１流下路２に合流する合流部分の長さは３５mmであり、この合流部分の範囲の中に傾斜変化点１０が存在し、その傾斜変化点１０の下流側に合流位置が存在する。
【００３９】
また、スプロケット５は、遊技球を嵌合する凹部２０を１２個等間隔（３０°ずつの等ピッチ）に形成し、毎分３０回転するように構成してある。そして、凹部２０の深さは、直径Ｄ＝１１mmのパチンコ球を嵌合した状態でパチンコ球の中心が描く仮想円の直径が５５mmになる深さに設定し、この仮想円上の凹部２０の弧の長さ（凹部２０ピッチ）を１４．４mmに設定してある。
【００４０】
まず、傾斜変化点１０の下流側傾斜角度が適正であることを説明する。即ち、第１流下路２の傾斜によりパチンコ球を不足なく供給できることを説明する。
スプロケット５が３０°回転する時間（凹部２０がパチンコ球を１個取り込む時間）Ｔｓを求めると、このＴｓ＝３０／３６０×６０／３０＝０．１６６６秒である。
【００４１】
傾斜角度が１２°の底面上をパチンコ球が１個分（１１mm）移動する時間Ｔｅを求める。この時間Ｔｅは、転がり摩擦係数μ＝０．０３と仮定すると、次の式（１）により求められる。なお、Ｌは距離（長さ）、Ｇは重力加速度、αは底面の角度、μは摩擦係数である。
【００４２】
Ｌ＝１／２×Ｇ×Ｔｅ×Ｔｅ×（ｓｉｎα−μｃｏｓα）…（１）
【００４３】
この式（１）にＬ＝１．１，Ｇ＝９８０，α＝１２°，μ＝０．０３を代入してＴｅを求めると、Ｔｅ＝０．１１２１２４秒となる。
この様に、本実施例では、Ｔｓ＞Ｔｅの関係が成立するので、スプロケット５へのパチンコ球の供給のための底面の傾斜角度は十分である。
【００４４】
傾斜角度４°の底面上をパチンコ球が１個分（１１mm）移動する時間、即ち傾斜変化点１０の上流側を球１個分移動する時間Ｔｓ′を、式（１）のＴｅに代えてＴｓ′として求めると、Ｔｓ′＝０．２３７４１秒となる。
【００４５】
上記したように、傾斜角度１２°の底面上をパチンコ球が１個分の距離を流下するために要する時間Ｔｅは０．１１２１２４秒であり、この時間Ｔｅ内に傾斜角度４°の底面上を流下するパチンコ球の移動距離Ｌ′を式（１）によって求めると、Ｌ′＝０．２４５３６cmとなる。
したがって、図６に示すように、傾斜変化点１０上に位置していた遊技球が球１個分（１１mm）移動する時間Ｔｅに傾斜変化点１０に向かって流下してくる次の遊技球の移動距離Ｌ′との差が隙間寸法となる。
【００４６】
上記したように、スプロケット５がパチンコ球を１個取り込む時間（凹部２０内に１個嵌合して送る時間）Ｔｓ＝０．１６６６秒であり、この時間Ｔｓに傾斜角度４°の底面上を流下するパチンコ球の移動距離Ｌ″を式（１）によって求めると、Ｌ″＝０．５４２１２４cm（約５．４mm）となる。
【００４７】
次に、上記した隙間に第２流下路３からの遊技球を入り込ませるので、この点について説明する。
【００４８】
第２流下路３を流下してきたパチンコ球が第１流下路２を流下しているパチンコ球に合流しようとして、第２流下路３と第１流下路２との高低差ｈ（６mm）を落下する時間ｔを次の式（２）によって求める。
【００４９】
ｈ＝１／２×Ｇ×ｔ×ｔ…（２）
【００５０】
この式（２）により、ｈ＝０．６なので、ｔ＝０．０３４９９３秒となる。
そして、スプロケット５が球を１個取り込む時間Ｔｓが経過する間に、第２流下路３内のパチンコ球が第１流下路２に合流しようとして移動できる距離Ｌを、式（１）を用いて求める。
この場合、第２流下路３から第１流下路２に流下する際の角度を４５°、摩擦係数μ＝０．０３と仮定すると、式（１）により、Ｌ＝９．３３５７cmとなる。
【００５１】
したがって、第１流下路２内を流下して、傾斜変化点１０を通過することにより前後に生じたパチンコ球の隙間内に、その隙間ができる時間内に第２流下路３からパチンコ球が入り込む流下速度を有している。
【００５２】
そして、第２流下路３からのパチンコ球が第１流下路２内を間隔を空けて流下するパチンコ球の隙間内に入り込む際の角度を検討すると、図８に示すように、第２流下路３からのパチンコ球が第１流下路２のパチンコ球に接触した時の重心のなす角度θは鈍角であり、ブリッジ状になって滞留することはない。
【００５３】
したがって、第１流下路２の底面に傾斜変化点１０を設けて流下速度をその傾斜変化点１０から増大させれば、この時に生じる隙間に第２流下路３からのパチンコ球を合流させることができ、これにより２条の球を１条に整列せしめることができる。
【００５４】
次に、第２流下路３の底面の傾斜角度とパチンコ球の動きを、図９に基づいて説明する。
第２流下路３からのパチンコ球が第１流下路２に１個合流して、第１流下路２内の次のパチンコ球が、合流した第２流下路３からのパチンコ球の後を追って合流位置まで移動する間、第２流下路３のパチンコ球は第１流下路２のパチンコ球を乗り越えてはならず、むしろ遅れる方が望ましい。
【００５５】
第１流下路２の傾斜変化点１０の上流側４°の部分をパチンコ球の半個に相当する５．５mm流下する時間Ｔを式（１）を用いて求めると、Ｔ＝０．１６７８８秒となる。
【００５６】
第２流下路３の下り傾斜角度が２°なので、ここを５．５mm流下する時間を同様にして算出すると、ｔ＝０．４７７７５秒となる。
【００５７】
傾斜角度４°の第１流下路２をパチンコ球が１個分（１１mm）移動する時間Ｔｓ′＝０．２３７４１秒間に、傾斜角度２°の第２流下路３をパチンコ球が移動する距離Ｌを、式（１）を用いて算出すると、Ｌ＝０．１３５８２cm（約１．３６mm）である。
【００５８】
上記した算出値から合流部分のパチンコ球の動きを考えると、第１流下路２の途中に、下流側の下り傾斜角度を大きく設定した傾斜変化点１０を設け、この傾斜変化点１０の近傍（僅か下流側の位置）を合流位置とすると、合流位置で第２流下路３からのパチンコ球Ａが第１流下路２に合流すると、次の第１流下路２のパチンコ球Ｂが合流部分に向かう。この時、第１流下路２のパチンコ球Ｂは、次の第２流下路３のパチンコ球Ｃよりも早く合流位置に流下し、第２流下路３のパチンコ球Ｃは第１流下路２のパチンコ球Ｄに押されるようにして合流位置に向かう。この様なパチンコ球の動きは、第２流下路３のパチンコ球の運動エネルギーよりも第１流下路２のパチンコ球の運動エネルギーを大きくして、これにより、ブリッジになりそうな状態で入り込んでくる第２流下路３のパチンコ球を押し出すことができるという球の流れである。したがって、合流位置でのブリッジの発生を防止できる。
【００５９】
なお、これまでの説明は、遊技球整列樋を球循環機構の補給機に使用する場合であるが、本発明はこれに限定されるものではない。例えば、弾球遊技機において、球タンクから導出した遊技球を２条から１条に円滑に整列し、この一列に整列した状態で球流下装置に供給し、所定数の遊技球を流下させて排出する場合に使用してもよいし、球流下装置が流下した球を上皿に整列した状態で排出する排出流路に使用してもよいし、球抜き流路に使用してもよいし、或は封入球パチンコ機の封入球循環経路に使用してもよい。そして、第１，第２流下路２，３の底面の傾斜角度は、前記角度に限定されるものではなく、用途などに応じて適宜設計変更することができる。
【００６０】
この様に、遊技球整列樋１の下流側に球流下装置を接続して使用する場合には、遊技球整列樋１の第１流下路２の傾斜下端に前記スプロケット収納部４を形成するのではなく、これに代えて球出口を有する接続部を形成し、この接続部を球流下装置などの下流側部材に接続し、遊技球整列樋１によって遊技球を一列に整列した状態で次の球流下装置等に供給する。なお、遊技球整列樋１の接続部は、下流側部材に対して着脱可能な構成にすることが望ましい。
【００６１】
球流下装置のシュート、球排出流路や球抜き流路の整列樋などいずれの用途に使用しても、遊技球整列樋１によって遊技球を２条から１条に確実に整列することができるし、嵩張らないので、狭いスペースであっても取り付けることができ、装置全体の小型化に寄与できる。また、従来２条で流下させていた球流下装置を１条で済ませることができれば、球流下装置自体の構造の簡素化を図ることができ、製造も容易になるし、故障も減少し、さらには大きなコストダウンになる。
【００６２】
また、本発明は、２条を１条に整列するばかりでなく、複数連続して設ければ順次列を減少させることができ、例えば４条の内の２条を１条に、他の２条も１条にしてから、合流した各条（２条）を再度本発明により１条に整列させることができる。
【図面の簡単な説明】
【００６３】
【図１】（ａ）は遊技球整列樋の一部欠截斜視図、（ｂ）は（ａ）の遊技球整列樋の上流側から見た端面図、（ｃ）および（ｄ）は（ａ）の遊技球整列樋の途中の断面図である。
【図２】（ａ）は遊技球整列樋の平面図、（ｂ）は遊技球整列樋の正面図である。
【図３】（ａ）は遊技球整列樋の合流部分の拡大平面図、（ｂ）は（ａ）の遊技球整列樋の拡大側面図、（ｃ）は（ａ）の遊技球整列樋のＡ，Ｂ，Ｃ，Ｄ，Ｅの各部位における断面図である。
【図４】スプロケットの正面図である。
【図５】傾斜角度が１２°である底面上を流下するパチンコ球の側面図である。
【図６】傾斜変化点を通過したパチンコ球と後続のパチンコ球との間に隙間ができる状態を示す側面図である。
【図７】合流部分における第１流下路と第２流下路との高低差を示す断面図である。
【図８】合流部分で第２流下路から第１流下路へ合流したパチンコ球を示す正面図である。
【図９】合流部分における第２流下路のパチンコ球の動きを示す正面図である。
【符号の説明】
【００６４】
１  遊技球整列樋
２  第１流下路
３  第２流下路
４  スプロケット収納部
５  スプロケット
６  端面壁
７  第１流下路の側壁
１０  傾斜変化点
１１  段差
１２  第２流下路の側壁
１３  合流ガイド
１４  段差
１５  分列ガイド
１６  球均し
２０  スプロケットの凹部
【図１】
2005211691.tif 000003
【図２】
2005211691.tif 000004
【図３】
2005211691.tif 000005
【図４】
2005211691.tif 000006
【図５】
2005211691.tif 000007
【図６】
2005211691.tif 000008
【図７】
2005211691.tif 000009
【図８】
2005211691.tif 000010
【図９】
2005211691.tif 000011